(57)【要約】【課題】湾曲タイプのハンガーレールに適した構成としつつも、ランナーの上下方向への大型化を抑えることができる縦型ブラインドを提供する。【解決手段】ランナー２の幅方向両側にはそれぞれ、ハンガーレール１にランナー２の移動方向に沿って設けられた案内レール２６（ガイド部）に対して摺動可能に係合するローラー２４（係合部）が設けられる。そして、スペーサー８は、各ランナー２における吊下軸１６の水平方向の側方、かつ各ローラー２４の間の位置で、鉛直方向に対して平行に配置（縦置き）される。【選択図】図３
2014001597.tif 000002
【特許請求の範囲】
【請求項１】
ハンガーレール内を移動可能に支持された複数のランナーから吊下軸を介してスラットがそれぞれ吊下支持され、隣り合う前記ランナー同士が板状のスペーサーを介して連結された縦型ブラインドにおいて、
前記ランナーの両側にはそれぞれ、前記ハンガーレールに前記ランナーの移動方向に沿って設けられたガイド部に対して摺動可能に係合する係合部が設けられ、
前記スペーサーは、前記各ランナーにおける前記吊下軸の水平方向の側方、かつ前記各係合部の間の位置で、鉛直方向に対して平行に配置されていることを特徴とする縦型ブラインド。
【請求項２】
請求項１に記載の縦型ブラインドにおいて、
前記各スペーサーは、その板厚方向に互いに重なるように配置されていることを特徴とする縦型ブラインド。
【請求項３】
請求項１又は２に記載の縦型ブラインドにおいて、
前記ハンガーレールは、水平方向に部分的又は全体的に湾曲する形状をなし、
前記スペーサーは、その一端側の固定端が、隣り合う２つの前記ランナーのうちの一方に固定されるとともに、他端側の開放端が他方のランナーの保持部に前記ランナーの移動方向に相対移動可能に保持され、
前記スペーサーの開放端が、隣のランナーに固定された前記スペーサーに対し前記ハンガーレールの湾曲内側に位置していることを特徴とする縦型ブラインド。
【請求項４】
請求項１〜３のいずれか１項に記載の縦型ブラインドにおいて、
前記スペーサーは、その一端側の固定端が、隣り合う２つの前記ランナーのうちの一方に固定されるとともに、他端側の開放端が他方のランナーの保持部に前記ランナーの移動方向に相対移動可能に保持され、
前記スペーサーの開放端が、隣のランナーに固定された前記スペーサーに対し板厚方向に重なるとともに、そのスペーサーに対して離間するように湾曲していることを特徴とする縦型ブラインド。
【発明の詳細な説明】
【技術分野】
【０００１】
本発明は、スペーサーを介して互いに連結された複数のランナーを備えた縦型ブラインドに関するものである。
【背景技術】
【０００２】
縦型ブラインドは、例えば特許文献１に示すように、ハンガーレール内を移動可能に支持された複数のランナーからスラットがそれぞれ吊下支持されている。各ランナーのケースには、スラットを吊下支持する吊下軸が回動可能に支持され、その吊下軸は所定操作に基づき回動する。これにより、吊下軸に支持されたスラットの角度調節がなされる。
【０００３】
また、所定操作に基づき先頭のランナーが展開側へ移送されると、隣り合うランナー同士を連結するスペーサーによって先頭のランナー以外の各ランナーも展開側へ順次移送される。これにより、各ランナーに吊下支持されたスラットがハンガーレールに沿って引き出される。この状態から逆に、先頭のランナーが格納側へ移送されると、その先頭のランナーによって他のランナーが格納側へ押し戻され、それにより、各スラットが畳み込まれた格納状態となる。
【０００４】
ところで、上記特許文献１の縦型ブラインドでは、各ランナーにおいてスペーサーを保持する保持部がランナーのケースの上部に、つまり、ケース内の吊下軸よりも上方に形成されている。そして、その保持部には、板状をなすスペーサーが上下方向（鉛直方向）と平行に保持されている。つまり、スペーサーの板厚方向が水平方向を向くように配置されるため、スペーサーが水平方向に撓みやすい構成となっている。
【０００５】
これにより、ハンガーレールが水平方向において部分的又は全体的に湾曲する構成の場合、そのハンガーレールの湾曲形状に応じてスペーサーが水平方向に撓むため、ハンガーレールの湾曲のアールを小さく設定しても、スペーサーがランナーのスムーズな移送の妨げになりにくい。従って、板状のスペーサーが縦置きされた構成は、湾曲タイプのハンガーレールに適した構成といえる。
【先行技術文献】
【特許文献】
【０００６】
【特許文献１】特公平６−３１５００号公報
【発明の概要】
【発明が解決しようとする課題】
【０００７】
しかしながら、上記特許文献１のランナーは、そのケースの上部にスペーサーが設けられ、更にはスペーサーの板面が上下方向と平行となるように立てて配置されているため、ランナー及びそのランナーを収容するハンガーレールが上下方向に大型化するという問題があった。
【０００８】
本発明は、上記課題を解決するためになされたものであって、その目的は、湾曲タイプのハンガーレールに適した構成としつつも、ランナーの上下方向への大型化を抑えることができる縦型ブラインドを提供することにある。
【課題を解決するための手段】
【０００９】
請求項１では、ハンガーレール内を移動可能に支持された複数のランナーから吊下軸を介してスラットがそれぞれ吊下支持され、隣り合う前記ランナー同士が板状のスペーサーを介して連結された縦型ブラインドにおいて、前記ランナーの両側にはそれぞれ、前記ハンガーレールに前記ランナーの移動方向に沿って設けられたガイド部に対して摺動可能に係合する係合部が設けられ、前記スペーサーは、前記各ランナーにおける前記吊下軸の水平方向の側方、かつ前記各係合部の間の位置で、鉛直方向に対して平行に配置されている。
【００１０】
請求項２では、前記各スペーサーは、その板厚方向に互いに重なるように配置されている。
請求項３では、前記ハンガーレールは、水平方向に部分的又は全体的に湾曲する形状をなし、前記スペーサーは、その一端側の固定端が、隣り合う２つの前記ランナーのうちの一方に固定されるとともに、他端側の開放端が他方のランナーの保持部に前記ランナーの移動方向に相対移動可能に保持され、前記スペーサーの開放端が、隣のランナーに固定された前記スペーサーに対し前記ハンガーレールの湾曲内側に位置している。
【００１１】
請求項４では、前記スペーサーは、その一端側の固定端が、隣り合う２つの前記ランナーのうちの一方に固定されるとともに、他端側の開放端が他方のランナーの保持部に前記ランナーの移動方向に相対移動可能に保持され、前記スペーサーの開放端が、隣のランナーに固定された前記スペーサーに対し板厚方向に重なるとともに、そのスペーサーに対して離間するように湾曲している。
【発明の効果】
【００１２】
従って、上記記載の発明によれば、湾曲タイプのハンガーレールに適した構成としつつも、ランナーの上下方向への大型化を抑えることができる縦型ブラインドを提供することができる。
【図面の簡単な説明】
【００１３】
【図１】縦型ブラインドの正面図である。
【図２】縦型ブラインドの平面図である。
【図３】ハンガーレール及びランナーの断面図である。
【図４】ハンガーレールに収容されたランナーの概略構成図である。
【図５】ランナー及びスペーサーの側面図である。
【発明を実施するための形態】
【００１４】
以下、本発明を具体化した一実施形態を図面に従って説明する。
図１に示すように、本実施形態の縦型ブラインドは、ハンガーレール１内に多数のランナー２がレール長手方向に移動可能に支持され、各ランナー２からそれぞれスラット３が吊下支持されている。ハンガーレール１は、長手方向の全体に亘って水平方向に湾曲する形状をなしている（図２参照）。
【００１５】
ハンガーレール１の一端に設けられる操作装置４には、移送用コード５及び開閉用コード６がそれぞれ垂下されている。移送用コード５の操作により、各ランナー２とスラット３がレール長手方向に移送される。また、開閉用コード６の操作により、各ランナー２から吊下支持されるスラット３が回動される。
【００１６】
スラット３の移送操作は、移送用コード５の操作に基づいてハンガーレール１内を周回する移送ベルト７に先頭ランナー２ａが取着され、その先頭ランナー２ａを移送すると、後続のランナー２が等間隔を隔てて順次引き出され、あるいは押し戻される。
【００１７】
図１においては、先頭ランナー２ａがハンガーレール１の左端側へ移送されると、後続のランナー２が図２に示すスペーサー８を介して等間隔を隔てて順次引き出されて、スラット３がハンガーレール１の左端側へ引き出される。
【００１８】
また、先頭ランナー２ａがハンガーレール１の右端側へ移送されると、後続のランナー２が先頭ランナー２ａにより順次ハンガーレール１の右端側へ押し戻されて、スラット３がハンガーレール１の右端側へ畳み込まれる。
【００１９】
［ランナーの構成］
ランナー２の具体的構成を図３及び図４に従って説明する。ランナー２は、そのケース１１の中央部から一側にかけて、ランナー２の移動方向（ハンガーレール１の長手方向）に互いに対向する一対の側壁１２が形成され、その各側壁１２に形成された軸受孔（図示しない）にウォーム１３が回転可能に支持されている。ウォーム１３は、前記軸受孔に対しウォーム１３の径方向及び回転軸方向に若干のクリアランスを設けて支持されている。
【００２０】
ケース１１の中央部には、一対の側壁１２の下端部を繋ぐ底部１４から下方に延びる円筒状の軸受部１５が形成されている。軸受部１５には、弾性を有する合成樹脂で形成された吊下軸１６がその軸心を上下方向として回転可能に支持され、その吊下軸１６の上部にウォーム１３に噛み合うウォームホイール１７が一体回転可能に嵌合されている。この吊下軸１６の下端部には、スラット３が吊下支持されている。
【００２１】
なお、スラット３が全閉状態（又は逆全閉状態）から更に閉方向（又はその逆方向）にウォームホイール１７及び吊下軸１６が回転されると、吊下軸１６がケース１１との係止によって回り止めされ、ウォームホイール１７が吊下軸１６に対して空転する。これにより、スラット３が全閉状態（又は逆全閉状態）から更に閉方向（又はその逆方向）に回動してしまうことが防止されるとともに、各スラット３の角度合わせが可能となっている。
【００２２】
ウォームホイール１７のウォーム１３とは反対側の側方には、一対の側壁１２を繋ぐ保持壁１８が形成されている。保持壁１８は側壁１２に対して直角をなすとともに、ランナー２の上下方向と平行をなしている。そして、ウォームホイール１７及び吊下軸１６の一側（ウォーム１３の反対側）を保持している。
【００２３】
各側壁１２と保持壁１８の内面には、ウォームホイール１７の外周面に沿って抉られた収容部１９が形成され、その収容部１９内でウォームホイール１７が回転可能に支持されている。
【００２４】
ウォーム１３の中心部には、角度調節軸２１が軸方向に相対移動可能に、かつ相対回転不能に挿通されている。従って、角度調節軸２１が回転されると、ウォーム１３及びウォームホイール１７を介して吊下軸１６が回転される。
【００２５】
図４に示すように、角度調節軸２１が挿通されるウォーム１３の内周面１３ａは、軸方向中心ほど径が小さい湾曲面に形成されている。これにより、ウォーム１３は、角度調節軸２１に対する傾きが許容されている。
【００２６】
図３及び図４に示すように、ランナー２のケース１１には、その両側において水平方向（幅方向）に延びるローラー軸２２ａ，２２ｂが形成されている。一方のローラー軸２２ａは、側壁１２の保持壁１８とは反対側の端部を繋ぐ連結壁１２ａから幅方向外側に突出されている。他方のローラー軸２２ｂは、保持壁１８から幅方向の反ウォーム側に延びる延出部２３の先端に形成されている。各ローラー軸２２ａ，２２ｂの軸線は互いに同軸をなし、その軸線はランナー２の幅方向（ハンガーレール１の幅方向と一致）に対して平行をなしている。なお、延出部２３は、保持壁１８の上下方向の中間部から幅方向に延出形成されている。
【００２７】
各ローラー軸２２ａ，２２ｂにはローラー２４（係合部）が回転可能に支持され、そのローラー２４がハンガーレール１の幅方向側壁１ａから内側に突出されるリブ２５を案内レール２６（ガイド部）としてハンガーレール１内をその長手方向に移動するようになっている。
【００２８】
ケース１１は、前記延出部２３の上部において、保持壁１８のローラー軸２２ｂ側の側面に形成されたスペーサー保持部２７を有している。スペーサー保持部２７は、保持壁１８の上端及び延出部２３の上面にそれぞれ形成された係止爪２８を有している。各係止爪２８は、ランナー２の上下方向に互いに対向するように形成されるとともに、上下方向において互いに近づくように突出形成されている。
【００２９】
この係止爪２８と保持壁１８の側面との間に、長尺板状をなす前記スペーサー８が縦置き、つまり、ランナー２の上下方向（鉛直方向）に対して平行に配置され、係止爪２８によってスペーサー８がスペーサー保持部２７からローラー軸２２ｂ側に外れないように保持されている。このスペーサー８は、その長手方向がランナー２の移動方向に沿うように設けられている。また、スペーサー８は、水平方向における一対のローラー２４の間に配置されている。つまり、スペーサー８は、その板面がローラー軸２２ａ，２２ｂの軸線と直交するように配置されている。
【００３０】
図４及び図５に示すように、スペーサー８は、その基端側の固定端８ａがランナー２のスペーサー保持部２７に固定されるとともに、先端側の開放端８ｂは前段側（先頭側）で隣り合うランナー２側に延びて、そのランナー２のスペーサー保持部２７に挿通保持されている。つまり、スペーサー８は、隣り合う２つのランナー２の一方に固定され、他方のランナー２に対してはランナー２の移動方向に相対移動可能に保持されている。
【００３１】
また、スペーサー保持部２７には、２枚のスペーサー８が板厚方向に重なるように保持されている。そのうちの一方のスペーサー８は、その固定端８ａが保持壁１８と当接するように固定され、そのスペーサー８の固定端８ａと係止爪２８との間に他方のスペーサー８が挿通されている。
【００３２】
各スペーサー８は、角度調節軸２１に対してハンガーレール１の湾曲内側に配置されている。そして、スペーサー８の開放端８ｂは、前段のランナー２に固定されたスペーサー８に対し、ハンガーレール１の湾曲内側に位置している。また、スペーサー８の開放端８ｂの先端は、前段のランナー２に固定されたスペーサー８に対して離間するように湾曲している。
【００３３】
そして、スペーサー８の開放端８ｂは、スペーサー保持部２７に対して、ランナー２同士が離間する方向に係止可能に構成されている。これにより、ランナー２同士の間隔が所定距離となったときに、スペーサー８がスペーサー保持部２７から抜けずに係止され、ランナー２同士の間隔がその距離に保たれる。
【００３４】
図３に示すように、案内レール２６の下方には、ハンガーレール１内で周回可能に引き回される移送ベルト７が収容されるベルト収容部３１が形成されている。移送ベルト７は先頭ランナー２ａに取り付けられている。
【００３５】
図４に示すように、先頭ランナー２ａは、前記ランナー２にベルト固定部材３２が装着されて構成されている。ベルト固定部材３２は、ランナー２の移動方向の両側にそれぞれ位置する取付部３３を備え、その一対の取付部３３の底部側に前記移送ベルト７の両端に装着された取付部材７ａがそれぞれ固定される。なお、各取付部３３はランナー２の底部１４側で一体に繋がっており、ランナー２はベルト固定部材３２の上方から各取付部３３間に挿入されて組み付けられる。
【００３６】
図２に示すように、操作装置４は、ハンガーレール１の一端に固定されたギヤハウジング４１を有し、そのギヤハウジング４１から長手方向側方に突出するように移送プーリー４２及び開閉プーリー４３が設けられている。この移送プーリー４２及び開閉プーリー４３には、前記移送用コード５及び開閉用コード６がそれぞれ掛装されている。なお、移送プーリー４２及び開閉プーリー４３は、ギヤハウジング４１に取り付けられたカバー４１ａにて、上方及び幅方向両側が覆われている。
【００３７】
開閉プーリー４３は、ギヤハウジング４１に回転可能に支持された支持軸４４が一体に形成されている。支持軸４４には、前記角度調節軸２１が相対回転不能に嵌合されている。これにより、支持軸４４と角度調節軸２１とが正逆方向に一体回転可能となっている。
【００３８】
移送プーリー４２は、ギヤハウジング４１に軸支されたドライブギヤ４５と一体回転可能に構成され、そのドライブギヤ４５は、ギヤハウジング４１に回転可能に支持されたベルトプーリー４６と噛合している。そして、このベルトプーリー４６は、前記移送ベルト７と噛合されており、ベルトプーリー４６の回転によって移送ベルト７がハンガーレール１内を周回するようになっている。なお、ギヤハウジング４１には、ベルトプーリー４６とは別に、移送ベルト７と噛合するベルトプーリー４７が回転可能に支持されている。
【００３９】
次に、本実施形態の作用について説明する。
開閉用コード６の操作に基づいて開閉プーリー４３及び角度調節軸２１が回転されると、各ランナー２（先頭ランナー２ａを含む）において、ウォーム１３及びウォームホイール１７を介して吊下軸１６が回転される。これにより、吊下軸１６に支持されたスラット３が開閉される。
【００４０】
一方、移送用コード５の操作に基づいて移送プーリー４２が回転されると、その回転がドライブギヤ４５及びベルトプーリー４６を介して移送ベルト７へと伝達され、移送ベルト７がハンガーレール１内を周回する。このとき、移送ベルト７に固定された先頭ランナー２ａは、移送ベルト７と一体にハンガーレール１内を移動する。
【００４１】
各スラット３をハンガーレール１の一端側に格納された状態から他端側へと展開する場合、移送用コード５の操作に基づき、まず、先頭ランナー２ａが展開側に移送される。そして、先頭ランナー２ａと、その後段のランナー２（図４においてランナー２ｂとする）との間隔が所定距離となったとき、後段のランナー２ｂに固定されたスペーサー８の開放端８ｂが先頭ランナー２ａのスペーサー保持部２７と係止され、後段のランナー２ｂがスペーサー８を介して先頭ランナー２ａに引き連れられる形で展開側に移送される。
【００４２】
そして、ランナー２ｂの更に後段の各ランナー２も同様に、スペーサー８によって展開側に順次移送され、これにより、各ランナー２に吊下支持されたスラット３がハンガーレール１に沿って引き出される。
【００４３】
スラット３を展開状態から格納する場合、移送用コード５の操作に基づき、まず、先頭ランナー２ａが格納側へ移送される。このとき、スペーサー８の開放端８ｂはランナー２と固定されていないため、先頭ランナー２ａによってその後段の各ランナー２が格納側へ順次押し戻され、これにより、各スラット３が畳み込まれた格納状態となる。なお、この格納状態において、板厚方向に重なる各スペーサー８は、ランナー２の延出部２３の上方に空間に収容される（図３のスペーサー８ｃを参照）。
【００４４】
ここで、本実施形態のハンガーレール１は、水平方向に湾曲する形状をなしているため、角度調節軸２１及び各スペーサー８もハンガーレール１の湾曲形状に応じて湾曲した構成となっている。そして、スペーサー８は、ランナー２のスペーサー保持部２７に縦置き、つまり、スペーサー８の板厚方向が水平方向を向くように配置されるため、スペーサー８が水平方向に撓みやすい構成となっている。これにより、ハンガーレール１の湾曲のアールを小さく設定しても、スペーサー８がランナー２のスムーズな移送の妨げになりにくい。従って、本実施形態のように、板状のスペーサー８を縦置き配置とすることで、湾曲タイプのハンガーレール１に適した構成となる。
【００４５】
また、スペーサー８は、各ランナー２における吊下軸１６（ウォームホイール１７）の水平方向の側方、かつ各ローラー２４の間の位置に配置されている。これにより、吊下軸１６、各ローラー２４及びスペーサー８がランナー２の幅方向に並ぶように配置されるため、ランナー２の上下方向への大型化が抑えられている。
【００４６】
また、ランナー２が展開側に移動する際にスペーサー８を介して前段のランナー２からの引っ張り力を受けるスペーサー保持部２７と、ハンガーレール１に支持されるローラー２４との上下方向の位置が近い（ほぼ一致している）。このため、ハンガーレール１内でランナー２が展開側に移動する際のランナー２の傾き（ランナー２の上部と下部がハンガーレール１の長手方向にずれる傾き）が抑制され、その結果、ランナー２の移動がスムーズとなる。
【００４７】
また、スペーサー８の開放端８ｂは、前段のランナー２に固定されたスペーサー８の固定端８ａに対し、ハンガーレール１の湾曲内側に位置している。スペーサー８が湾曲する構成では、スペーサー８には真っ直ぐに戻ろうとする方向への弾性力が生じるため、その弾性力によって開放端８ｂが前段のランナー２に固定されたスペーサー８の固定端８ａに圧接される。これにより、スペーサー８の開放端８ｂが前段のランナー２に固定されたスペーサー８の固定端８ａに対して離間しないように構成でき、その結果、スペーサー８の開放端８ｂがハンガーレール１の内面やランナー２等に引っ掛かってしまうことが抑制されている。
【００４８】
なお、図４には、ランナー２同士の間隔が最大、つまり、スペーサー８の開放端８ｂがスペーサー保持部２７に係止されるとともに隣のスペーサー８の固定端８ａと板厚方向に重なっている状態を示している。この状態よりもランナー２同士の間隔が狭い状態では、スペーサー８の開放端８ｂは、隣のスペーサー８の長手方向中間部の内側に位置する。
【００４９】
また、各ランナー２において、ウォーム１３の内周面１３ａの湾曲によりウォーム１３の角度調節軸２１に対する傾きが許容されている。このため、角度調節軸２１のアールが小さい場合には、ランナー２が無理のない姿勢を保つべく角度調節軸２１に対して傾くため、湾曲する角度調節軸２１がランナー２のスムーズな移動の妨げになりにくい構成となっている。
【００５０】
次に、本実施形態の特徴的な効果を記載する。
（１）ランナー２の幅方向両側にはそれぞれ、ハンガーレール１にランナー２の移動方向に沿って設けられた案内レール２６（ガイド部）に対して摺動可能に係合するローラー２４（係合部）が設けられる。そして、スペーサー８は、鉛直方向に対して平行に配置（縦置き）されるため、スペーサー８の板厚方向が水平方向を向くように配置でき、スペーサー８を水平方向に撓みやすい構成とすることができる。これにより、ハンガーレール１の湾曲のアールを小さく設定しても、スペーサー８がランナー２のスムーズな移送の妨げになりにくく、湾曲タイプのハンガーレール１に適した構成とすることができる。また、スペーサー８は、各ランナー２における吊下軸１６の水平方向の側方、かつ各ローラー２４の間の位置で保持される。これにより、吊下軸１６、各ローラー２４及びスペーサー８がランナー２の幅方向に並ぶように配置されるため、ランナー２の上下方向への大型化を抑えることができる。
【００５１】
また、展開側への移動の際にランナー２に対して引っ張り力を与えるスペーサー８と、ランナー２においてハンガーレール１に支持される部位であるローラー２４との上下方向の位置を近づけて構成できる。このため、ハンガーレール１内でランナー２が展開側に移動する際のランナー２の傾き（ランナー２の上部と下部がハンガーレール１の長手方向にずれる傾き）が抑制され、その結果、ランナー２の移動がスムーズとなる。
【００５２】
（２）各スペーサー８は、その板厚方向に互いに重なるように配置されるため、スラット３の格納状態において複数のスペーサー８をコンパクトにまとめることができ、省スペース化に寄与できる。
【００５３】
（３）スペーサー８は、その一端側の固定端８ａが、隣り合う２つのランナー２のうちの一方に固定されるとともに、他端側の開放端８ｂが他方のランナー２のスペーサー保持部２７にランナー２の移動方向に相対移動可能に保持される。そして、スペーサー８の開放端８ｂが、隣のランナー２に固定されたスペーサー８に対しハンガーレール１の湾曲内側に位置している。これにより、スペーサー８の真っ直ぐに戻ろうとする方向への弾性力によって、開放端８ｂが前段のランナー２に固定されたスペーサー８に圧接される。このため、スペーサー８の開放端８ｂが前段のランナー２に固定されたスペーサー８に対して離間しないように構成でき、その結果、スペーサー８の開放端８ｂがハンガーレール１の内面やランナー２等に引っ掛かってしまうことを抑制することができる。
【００５４】
（４）スペーサー８の開放端８ｂが前段のランナー２に固定されたスペーサー８に対して離間するように湾曲しているため、開放端８ｂが前段のランナー２のスペーサー８に対して引っ掛かってランナー２のスムーズな移動の妨げになることを抑制することができる。
【００５５】
（５）角度調節軸２１が挿通されるウォーム１３の内周面１３ａは、軸方向中心ほど径が小さい湾曲面に形成される。これにより、ウォーム１３の角度調節軸２１に対する傾きが許容される。このため、角度調節軸２１のアールが小さい場合には、ランナー２が無理のない姿勢を保つべく角度調節軸２１に対して傾くため、湾曲する角度調節軸２１がランナー２のスムーズな移動の妨げになりにくい構成とすることができる。
【００５６】
なお、本発明の実施形態は、以下のように変更してもよい。
・上記実施形態では、スペーサー８の開放端８ｂは、前段側（先頭側）で隣り合うランナー２側に延びて、そのランナー２のスペーサー保持部２７に挿通保持される構成としたが、特にこれに限定されるものではない。例えば、スペーサー８の開放端８ｂが後段側で隣り合うランナー２のスペーサー保持部２７に挿通保持される構成としてもよい。
【００５７】
・上記実施形態では、スペーサー８の開放端８ｂが、隣のランナー２に固定されたスペーサー８に対しハンガーレール１の湾曲内側に位置するように構成したが、特にこれに限定されるものではなく、スペーサー８の開放端８ｂが、隣のランナー２に固定されたスペーサー８に対しハンガーレール１の湾曲外側に位置するように構成してもよい。
【００５８】
・上記実施形態では、各スペーサー８が角度調節軸２１よりもハンガーレール１の湾曲内側に配置されたが、特にこれに限定されるものではなく、各スペーサー８を角度調節軸２１よりも湾曲外側に配置してもよい。
【符号の説明】
【００５９】
１…ハンガーレール、２，２ｂ…ランナー、３…スラット、８…スペーサー、８ａ…固定端、８ｂ…開放端、１６…吊下軸、２４…ローラー（係合部）、２６…案内レール（ガイド部）、２７…スペーサー保持部（保持部）。
【図１】
2014001597.tif 000003
【図２】
2014001597.tif 000004
【図３】
2014001597.tif 000005
【図４】
2014001597.tif 000006
【図５】
2014001597.tif 000007